(57)【要約】【課題】  引き出し案内体の固定工程を行いやすくする。【解決手段】  少なくとも前方及び下方が開放した引き出し案内体収納空間２１を上部に有し、且つ、引き出し案内体収納空間２１の下部の前後部に長手方向を左右方向に向けた横材６を有する流し台１の構造体を構成する工程と、下方の開口２０を通じて引き出し案内体収納空間２１に引き出し案内体２４を収納する工程と、引き出し案内体２４を水平に所定角度回転させて前記横材６に仮置きする工程と、前記横材６の一方に引き出し案内体支持材３３を取り付ける工程と、引き出し案内体２４を正規の位置に移動させて、引き出し案内体支持材３３が取り付けられていない横材６及び引き出し案内体支持材３３に載置して固定具により横材６又は引き出し案内体支持材３３の少なくとも一方に固定する工程とを有している。【選択図】  図３
2005168686.tif 000002
【特許請求の範囲】
【請求項１】
少なくとも前方及び下方が開放した引き出し案内体収納空間を上部に有し、且つ、引き出し案内体収納空間の下部の前後部に長手方向を左右方向に向けた横材を有する流し台の構造体を構成する工程と、下方の開口を通じて引き出し案内体収納空間に引き出し案内体を収納する工程と、引き出し案内体を水平に所定角度回転させて前記横材に仮置きする工程と、前記横材の一方に引き出し案内体支持材を取り付ける工程と、引き出し案内体を正規の位置に移動させて、引き出し案内体支持材が取り付けられていない横材及び引き出し案内体支持材に載置して固定具により横材又は引き出し案内体支持材の少なくとも一方に固定する工程とを有する引き出し案内体を流し台の構造体に固定する方法。
【請求項２】
前記前側の横材を断面Ｌ字状として垂直片と垂直片の下縁に後方突出状に連設された突出片とを有するものとし、引き出し案内体の前端部を突出片に載せると共に垂直片に当てることにより、引き出し案内体を正規の位置に移動させるようにした請求項１記載の引き出し案内体を流し台の構造体に固定する方法。
【発明の詳細な説明】
【技術分野】
【０００１】
本発明は、設置現場で組み立て可能な、又は、工場で完成品となされて出荷される流し台の構造体（中間製品）に引き出し案内体を固定する方法に関する。
【背景技術】
【０００２】
従来、この種の方法として以下の如きものは知られている。
引き出し案内体の後部に設けられた係合フックを、流し台の構造体の後部の長手方向を左右方向に向けた横材に形成された前後方向に開放した貫通孔に嵌める工程と、この引き出し案内体の前端部を作業者が支持しつつ、ねじを引き出し案内体の側壁に形成された貫通孔を通じて構造体の側壁にねじ嵌める工程とを有するものは知られている。
【特許文献１】特開平１１−９９，０２４号公報
【発明の開示】
【発明が解決しようとする課題】
【０００３】
前記従来の方法には以下の如き欠点があった。
引き出し案内体の前端部を作業者が支持しつつ、ねじを引き出し案内体の側壁に形成された貫通孔を通じて構造体の側壁にねじ嵌めなければならなかったので、その作業が行いにくいという欠点があった。
【課題を解決するための手段】
【０００４】
本発明は前記欠点を解消するために以下の如き手段を採用した。
（１）請求項１の発明は、少なくとも前方及び下方が開放した引き出し案内体収納空間を上部に有し、且つ、引き出し案内体収納空間の下部の前後部に長手方向を左右方向に向けた横材を有する流し台の構造体を構成する工程と、下方の開口を通じて引き出し案内体収納空間に引き出し案内体を収納する工程と、引き出し案内体を水平に所定角度回転させて前記横材に仮置きする工程と、前記横材の一方に引き出し案内体支持材を取り付ける工程と、引き出し案内体を正規の位置に移動させて、引き出し案内体支持材が取り付けられていない横材及び引き出し案内体支持材に載置して固定具により横材又は引き出し案内体支持材の少なくとも一方に固定する工程とを有するものである。
（２）請求項２の発明は、前記前側の横材を断面Ｌ字状として垂直片と垂直片の下縁に後方突出状に連設された突出片とを有するものとし、引き出し案内体の前端部を突出片に載せると共に垂直片に当てることにより、引き出し案内体を正規の位置に移動させるようにした請求項１記載のものである。
【発明の効果】
【０００５】
本発明は前記した如き構成によって以下の如き効果を奏する。
（１）請求項１の発明によれば、引き出し案内体を水平に所定角度回転させて横材に仮置きするものであるから、その後の工程（横材の一方に引き出し案内体支持材を取り付ける工程及び引き出し案内体を正規の位置に移動させて、引き出し案内体支持材が取り付けられていない横材及び引き出し案内体支持材に載置して固定具により横材又は引き出し案内体支持材の少なくとも一方に固定する工程）（以下、引き出し案内体等の固定工程という。）を行う際、引き出し案内体を作業者が支持する必要がないので、引き出し案内体等の固定工程が行いやすい。
（２）請求項２の発明によれば、引き出し案内体の前後位置を簡単に定めることが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。また、組み立て式の流し台１の右側部は、左右方向中央に鏡面を左側に向けるようにして置いた鏡で流し台１の左側部を映したときに表われる像と同一の形状をしているので、流し台１の左側部の説明で流し台１の右側部の構造を理解出来る部分については、その説明を省略する。
【０００７】
まず、組み立てが完了した状態の流し台１について説明する。
流し台１は所定間隔をあけて配された左右一対の側枠３を有している。
【０００８】
前記左右の側枠３の上部の前後部に前後一対の金属製の渡し枠５が渡し止められている。前記前側の渡し枠５は、上下方向に所定間隔をあけて配された上下一対の横材６と、これら横材６の左右部を繋ぐ左右一対の縦材７と、上下の横材６の長手方向中間に渡された所要個の中間補強材８とを有している。
【０００９】
前記下側の横材６は、断面Ｌ字状をしていて、垂直片６ａと垂直片６ａの下縁に後方突出状に連設された突出片６ｂとを有している。上側の横材６は、上下方向中央に鏡面を下側に向けるようにして置いた鏡で下側の横材６を映したときに表われる像と同一の形状をしている。
【００１０】
前記左側の縦材７は断面Ｌ字状をしていて、垂直片７ａと垂直片７ａの左縁に後方突出状に連設された突出片７ｂとを有している。
【００１１】
前記中間補強材８は上下の垂直片６ａに取り付けられている。
【００１２】
前記前側の渡し枠５の左端部は、ボルト１０を、縦材７の突出片７ｂに形成された軸心を左右方向に向けた貫通孔（図示略）を通じて、左側の側枠３に形成されたねじ孔（図示略）にねじ嵌めることにより、左側の側枠３に取り付けられる。
【００１３】
前記後側の渡し枠５は、前後方向中央に鏡面を前側に向けるようにして置いた鏡で前側の渡し枠５を映したときに表われる像と同一の状態をしている。
そして、後側の渡し枠５の左端部の、左側の側枠３への取り付けは、前側の渡し枠５の左端部の、左側の側枠３への取り付けと同様に行われる。
【００１４】
前記左右の側枠３の後部下部に長手方向を左右方向に向けた横桟１２がボルト等の公知の連結手段（図示略）により取り付けられている。
【００１５】
前記側枠３の上部及び渡し枠５の上部に、水槽１５を有する天板１４が、ねじ等の公知の連結手段（図示略）により取り付けられている。
【００１６】
前記前側の渡し枠５の、左右部を除く中間部に、木質系素材からなる幕板１７が、ねじ等の公知の連結手段（図示略）により取り付けられている。
【００１７】
前記幕板１７により覆われない左側の部分が左側の引き出し用開口１９となされている。この引き出し用開口１９の後方（前後の渡し枠５の、左側部で囲まれるかたちの空間）が、少なくとも前方及び下方が開放した引き出し案内体収納空間２１となされている。要するに、前記引き出し案内体収納空間２１は、引き出し用開口１９（前方開口）及び下方の開口２０を有している。
【００１８】
前記引き出し案内体収納空間２１に木質系素材からなる引き出し案内体２４が収納されている。この引き出し案内体２４は、底板２５と、底板２５の左右部に立設された、相互に対向したガイドレール２７を有する左右の側板２６と、側板２６の前後部の上部を繋ぐ横桟２８（図３参照）と、底板２５の後部に立設された後板２９とを有している。なお、引き出し案内体２４の前方が開口していることはいうまでもない。
【００１９】
前記引き出し案内体２４の前部は、前側の渡し枠５の下側の横材６の突出片６ｂに載置され、所要個のねじ３１（図３参照）により突出片６ｂに取り付けられている。引き出し案内体２４の前端は、前側の渡し枠５の横材６の垂直片６ａに密接させられている。
【００２０】
前記引き出し案内体２４の後部は、後側の渡し枠５の下側の横材６の突出片６ｂにボルト１０により取り付けられた引き出し案内体支持材３３に載置され、所要個のねじ３１（図３参照）により引き出し案内体支持材３３に取り付けられている。なお、引き出し案内体支持材３３の、引き出し案内体２４の支持面と、前側の渡し枠５の下側の横材６の突出片６ｂの上面とは同一の仮想水平面に位置している。
【００２１】
前記引き出し案内体２４に引き出し３５が前後動自在に収納されている。
【００２２】
次に流し台１の組み立て方法を説明する。
【００２３】
［第１工程］
流し台１の設置現場に、組み立て前の状態の部材を搬入する。
その後、引き出し案内体２４、引き出し案内体支持材３３及び引き出し３５を有しないが、天板１４及び幕板１７を有する流し台１の構造体（中間製品）を構成する。
［第２工程］（図５参照）
その後、下方の開口２０を通じて引き出し案内体収納空間２１に、前端面が前面を向く状態で（引き出し案内体２４の前後面が突出片６ｂと平行となるような状態で）引き出し案内体２４を収納する。この説明から明らかなごとく、引き出し案内体２４は下方の開口２０を上下に通過可能な大きさとなされている。
［第３工程］（図６参照）
その後、引き出し案内体２４を水平に所定角度回転させて下側の横材６の突出片６ｂに仮置きする。この説明から明らかなごとく、引き出し案内体２４が上下の突出片６ｂに衝突・干渉しないように、引き出し案内体２４の上下長さは、上下の突出片６ｂの対向面間の距離より短くなされている。なお、本実施の形態における引き出し案内体２４の上下長さは、次の工程で引き出し案内体支持材３３の後部を後側の下側の横材６の突出片６ｂと引き出し案内体２４との間に滑り込ますため、引き出し案内体支持材３３の厚みを考慮した長さとなされている。また、引き出し案内体２４の平面視における対角線の長さは、前後の突出片６ｂの対向縁端間より長くなされている。
［第４工程］
その後、後側の下側の横材６の突出片６ｂに引き出し案内体支持材３３を取り付ける。なお、その際、引き出し案内体支持材３３の後部は、後側の下側の横材６の突出片６ｂと引き出し案内体２４との間に滑り込ますことになる。
［第５工程］（図７参照）
その後、引き出し案内体３３を正規の位置（図２〜図４に示す位置）に移動させて、前側の下側の横材６の突出片６ｂ及び引き出し案内体支持材３３に固定する。
［第６工程］
その後、流し台１を設置位置に設置した後、周知の工程、即ち、湯水混合水栓（図示略）の取り付け、湯水混合水栓への、給水管・給湯管の接続、水槽１５の排水口への、排水トラップの取り付け、排水トラップへの排水管の取り付け等を行う。
【００２４】
以下に変形例等について説明を加える。
（１）前側の幕板４０はない場合もある。
（２）側枠３の形状は任意である。
（３）引き出し案内体支持材３３の形状は任意である。
（４）引き出し案内体２４の正面視の大きさは、引き出し用開口１９より大きくなされている。
（５）引き出し案内体２４の固定具は、実施の形態で示すねじ３１が一般的であるが、ねじ３１に限定されるものではない。
（６）引き出し案内体２４の素材は木質系素材に限定されない。
（７）ガイドレール２７に代えて、周知の引き出しガイド機構を採用してもよい。
（８）本発明方法によれば、引き出し案内体２４を引き出し案内体収納空間２１に、その下方から収納・設置出来るものであるから、天板１４を側枠３の上部及び渡し枠５の上部に載置した後においても、即ち、上方から引き出し案内体２４を引き出し案内体収納空間２１に収納出来ない場合においても、引き出し案内体２４を引き出し案内体収納空間２１に収納・設置することが可能である。
（９）本発明方法によれば、引き出し案内体２４を引き出し案内体収納空間２１に、その下方から収納・設置出来るものであるから、一旦、引き出し案内体２４（引き出し３５）を流し台１の構造体に設置した後においても、天板１４に阻害されることなく、流し台１の使用状況の変化に対応して引き出し案内体２４（引き出し３５）を引き出し案内体収納空間２１から簡単に取り外すことが出来る。また、逆に、天板１４に阻害されることなく、引き出し案内体２４（引き出し３５）を有していない流し台１の引き出し案内体収納空間２１に、引き出し案内体２４（引き出し３５）を簡単に収納・設置することが出来る。
【図面の簡単な説明】
【００２５】
【図１】本発明の実施の形態方法により組み立てられた流し台の正面図である。
【図２】図１のＡ部分の一部破砕の拡大図である。
【図３】図２のＩＩＩ−ＩＩＩ線断面図である。
【図４】図２のＩＶ−ＩＶ線断面図である。
【図５】引き出し案内体を流し台の構造体に固定する工程を説明する簡略平面図、その１である。
【図６】引き出し案内体を流し台の構造体に固定する工程を説明する簡略平面図、その２である。
【図７】引き出し案内体を流し台の構造体に固定する工程を説明する簡略平面図、その３である。
【符号の説明】
【００２６】
１  流し台
３  側枠
６  横材
６ｂ  突出片
１９  引き出し用開口（前方の開口）
２０  下方の開口
２１  引き出し案内体収納空間
２４  引き出し案内体
３３  引き出し案内体支持材
３５  引き出し
【図１】
2005168686.tif 000003
【図２】
2005168686.tif 000004
【図３】
2005168686.tif 000005
【図４】
2005168686.tif 000006
【図５】
2005168686.tif 000007
【図６】
2005168686.tif 000008
【図７】
2005168686.tif 000009